(57)【要約】      （修正有）【課題】短冊状にカットされたカットポリマーを、作業者の手作業によらず、粉砕機に自動で安定的に定量供給できるカットポリマー自動供給装置を提供する。【解決手段】短冊状カットポリマーを粉砕機に供給するカットポリマー自動供給装置であって、カットポリマーが投入されるホッパー１１と、ホッパー内に投入されているカットポリマーを攪拌する攪拌手段３と、噛み込み刃を有する複数の駆動ロール１４を水平に併設し噛み込み刃が噛み合ってカットポリマーをホッパーから粉砕機に送り出す噛み込み送り出し手段４とを備えており、攪拌手段３はホッパー１１の排出口の上方に配置されたアームをホッパー内において駆動手段１６により上下に揺動させるように構成され、噛み込み刃は駆動ロール１４のロール軸を中心として放射状に突出した長刃および短刃から構成され、長刃および短刃がロール軸の周方向に交互に配置されているカットポリマー自動供給装置。【選択図】図１
2013107251.tif 000002
【特許請求の範囲】
【請求項１】
短冊状にせん断されたカットポリマーを粉砕機に供給するカットポリマー自動供給装置であって、
前記カットポリマーが投入されるホッパーと、
前記ホッパー内に投入されている前記カットポリマーを攪拌する攪拌手段と、
噛み込み刃を有する複数の駆動ロールを水平に併設し、前記噛み込み刃が噛み合って前記カットポリマーを前記ホッパーから前記粉砕機に送り出す噛み込み送り出し手段と
を備えており、
前記攪拌手段は、前記ホッパーの排出口の上方に配置されたアームを、前記ホッパー内において駆動手段により上下に揺動させるように構成されており、
前記噛み込み刃は、前記駆動ロールのロール軸を中心として放射状に突出した長刃および短刃から構成され、前記長刃および前記短刃が前記ロール軸の周方向に交互に配置されている
ことを特徴とするカットポリマー自動供給装置。
【請求項２】
前記駆動ロールが間欠的に回転駆動されるように制御する制御手段を備えていることを特徴とする請求項１に記載のカットポリマー自動供給装置。
【発明の詳細な説明】
【技術分野】
【０００１】
本発明は、カットポリマーを粉砕機に安定的に自動供給するためのカットポリマー自動供給装置に関する。
【背景技術】
【０００２】
ポリエチレンなど熱可塑性のポリマーを粉砕機に供給して、粉砕加工することが従来より行われている（例えば特許文献１）。
【０００３】
このような粉砕加工は、従来より樹脂シートを再生させるための前処理のために行われ、例えば、図５に示すように、短冊状にカットされたポリマー（カットポリマー）を粉砕機に定量供給することにより行われていた。
【０００４】
図５は従来のカットポリマーの供給装置を模式的に示す正面図である。図５において、５０は例えば、長さ１００〜２５０ｍ、幅５０〜２５０ｍｍのポリマーシートＡが巻かれたリール（リール径２００ｍｍ）、５１は複数のリール５０が配置されるリール配置部である。そして、５２は支持体であり、支持体５２にはポリマーシートＡを束ねる枠体５３が設けられている。
【０００５】
短冊状にカットされたカットポリマーＰは、リール配置部５１から枠体５３に巻き出された複数のポリマーシートＡの間に投入されて、挟み込まれ、枠体５３においてポリマーシートＡと共に束ねられた後、ガイド部１７を経由して粉砕機２に送られ、粉砕される。
【先行技術文献】
【特許文献】
【０００６】
【特許文献１】特開２００１−２３２６３１号公報
【発明の概要】
【発明が解決しようとする課題】
【０００７】
しかし、前記したカットポリマーの投入は、作業者が手作業で行っていたため、例えば、４８００回／日（作業時間６．０ｈ／日）程度の手作業による投入が必要となり、作業者にとって肉体的、精神的な負担が大きいという問題があった。
【０００８】
本発明は、上記の問題に鑑み、短冊状にカットされたカットポリマーを、作業者の手作業によらず、粉砕機に自動で安定的に定量供給することができるカットポリマー自動供給装置を提供することを課題とする。
【課題を解決するための手段】
【０００９】
請求項１に記載の発明は、
短冊状にせん断されたカットポリマーを粉砕機に供給するカットポリマー自動供給装置であって、
前記カットポリマーが投入されるホッパーと、
前記ホッパー内に投入されている前記カットポリマーを攪拌する攪拌手段と、
噛み込み刃を有する複数の駆動ロールを水平に併設し、前記噛み込み刃が噛み合って前記カットポリマーを前記ホッパーから前記粉砕機に送り出す噛み込み送り出し手段と
を備えており、
前記攪拌手段は、前記ホッパーの排出口の上方に配置されたアームを、前記ホッパー内において駆動手段により上下に揺動させるように構成されており、
前記噛み込み刃は、前記駆動ロールのロール軸を中心として放射状に突出した長刃および短刃から構成され、前記長刃および前記短刃が前記ロール軸の周方向に交互に配置されている
ことを特徴とするカットポリマー自動供給装置である。
【００１０】
請求項２に記載の発明は、
前記駆動ロールが間欠的に回転駆動されるように制御する制御手段を備えていることを特徴とする請求項１に記載のカットポリマー自動供給装置である。
【発明の効果】
【００１１】
本発明によれば、短冊状にカットされたカットポリマーを、作業者の手作業によらず、粉砕機に自動で安定的に定量供給することができるカットポリマー自動供給装置を提供することができる。
【図面の簡単な説明】
【００１２】
【図１】本発明の実施の形態のカットポリマー自動供給装置を模式的に示す縦断面図である。
【図２】（ａ）は本発明の実施の形態のカットポリマー自動供給装置を模式的に示す平面図であり、(ｂ)はカットポリマー自動供給装置の攪拌手段のアームを示す斜視図である。
【図３】本発明の実施の形態のカットポリマー自動供給装置の攪拌手段の動作を説明する図である。
【図４】本発明の実施の形態のカットポリマー自動供給装置の噛み込み動作を説明する図である。
【図５】従来のカットポリマー供給装置を模式的に示す図である。
【発明を実施するための形態】
【００１３】
以下、本発明を実施の形態に基づき、図面を用いて説明する。
【００１４】
１．カットポリマー自動供給装置の構成
図１は、本発明の実施の形態のカットポリマー自動供給装置を模式的に示す縦断面図である。図１に示すように、カットポリマー自動供給装置１は、カットポリマーが投入されるホッパー１１と、ホッパー１１内に投入されたカットポリマーを攪拌するアーム１５を備えた攪拌手段３と、ホッパー１１内で攪拌されたカットポリマーを駆動ロール１４に設けられた噛み込み刃に噛み込ませながら下方に送り出す噛み込み送り出し手段４と、送り出されたカットポリマーを粉砕機２に供給するガイド部１７と、これら攪拌手段３、噛み込み送り出し手段４およびガイド部１７を制御する制御手段とを備えている。
【００１５】
カットポリマーは、例えば、低密度ポリエチレン（ＬＤ−ＰＥ）を押出成形機で厚さ０．２６〜０．２８ｍｍのシート状に成形してエンボス加工を施した後、長さ６００〜１３００ｍｍ、幅２０ｍｍ程度の短冊状にせん断されたものが使用される。
【００１６】
図２（ａ）は、本発明の実施の形態のカットポリマー自動供給装置を模式的に示す平面図であり、(ｂ)はカットポリマー自動供給装置の攪拌手段のアームを示す斜視図である。図２（ａ）に示すように、攪拌手段３は、ホッパー１１の排出口１１ａの上方に配置され、横方向に複数の丸棒状のアーム１５を列設して形成された攪拌体１５Ａと、ホッパー内において攪拌体１５Ａを上下に揺動させる駆動手段５とを備えている。駆動手段５は、ホッパー１１にヒンジ連結されたアーム支持体６と、アーム支持体６を上下に揺動させるシリンダー１６とで構成されている（図１参照）。
【００１７】
２．カットポリマー自動供給装置の動作
図３は本発明の実施の形態のカットポリマー自動供給装置の攪拌手段の動作を説明する図である。また、図４は本発明の実施の形態のカットポリマー自動供給装置の噛み込み動作を説明する図である。
【００１８】
図３に示すように、アーム１５の揺動角度θ１はアーム１５が上方に揺動したときに上方に移動し過ぎないように設定されている。アーム１５を上方に揺動し過ぎた場合、下記の駆動ロール１４に噛み込まれたカットポリマーを巻き上げてアーム１５が破損する恐れがある。揺動角度θ１は例えば、３０°程度に設定され、そのためシリンダー１６の伸縮の長さは例えば２５〜３０ｃｍに設定される。
【００１９】
この揺動時、アーム１５にカットポリマーが巻きつくことがあるが、アーム１５の強度を上げる、もしくは、アーム１５とカットポリマーとの間の摩擦を低減させることにより、回避することができる。
【００２０】
噛み込み送り出し手段４は、ホッパー１１の排出口１１ａに接続される角筒状のハウジング１３と、ハウジング１３に収容され、水平に併設された一対の駆動ロール１４と、一対の駆動ロール１４を回転駆動させる図外のモーターとを備えている。
【００２１】
図４に示すように、駆動ロール１４は、駆動ロール本体１４ａと、駆動ロール本体１４ａのロール軸から放射状に突出された噛み込み刃１４ｂとを備えている。噛み込み刃１４ｂは、長刃１４ｃと短刃１４ｄとで構成され、長刃１４ｃおよび短刃１４ｄは駆動ロール本体１４ａの周方向に交互に配置されている。具体的には、駆動ロール本体１４ａに３枚の長刃１４ｃおよび３枚の短刃１４ｄが交互に、かつロール軸の周方向に等間隔（６０°間隔）に配置されている。
【００２２】
このように長刃１４ｃと短刃１４ｄとを交互に配置した場合、カットポリマーの噛み込み量が向上する。即ち、長刃１４ｃのみを配置した場合、アームに短冊状のカットポリマーが引っ掛かり易くなるのに対して、短刃１４ｄを配置することにより前記カットポリマーの引っ掛かりを解消することができる。
【００２３】
一対の駆動ロール１４は、駆動ロール本体１４ａ間において噛み込み刃１４ｂの長刃１４ｃと短刃１４ｄとが交互に噛み合いながら上方から下方に向かって移動するように回転する。したがって、アーム１５の揺動により攪拌されたカットポリマーは、駆動ロール１４の間で噛み込まれてガイド部１７に送り出された後、粉砕機２に供給される。なお、刃の先端は尖っていないため、カットポリマーを切断することがない。
【００２４】
制御手段は、図外のタイマーにより駆動ロール１４を間欠的に回転駆動させて粉砕機２への単位時間当たりのカットポリマーの供給量を調整して粉砕機２への供給タイミングを自動設定化している。これにより粉砕機２にカットポリマーが過剰に供給されて粉砕機２につまることを防止することができる。
【００２５】
また、ホッパー１１の排出口１１ａとハウジング１３との境界部分には、図３に示すように、枠状プレート１２が設けられている。そして、枠状プレート１２の内周側はホッパー１１の傾斜角度よりも緩やかな傾斜角度θ２で下方に傾斜している。これにより、一対の駆動ロール１４間に噛み込まれるカットポリマーの量を調整できるため、カットポリマーを一対の駆動ロール１４間にスムーズに噛み込ませ、粉砕機に送り出すことができる。
【００２６】
ホッパー１１およびハウジング１３のサイズは、供給量などを考慮して適宜適切なサイズに設定される。一例を挙げると、ホッパー１１の上端のサイズは１１５０ｍｍ□、深さ４５０ｍｍ、下端の開口サイズ４５０ｍｍ□であり、ハウジング１３の高さは４００ｍｍである。このとき、アーム１５は、長さ３５０ｍｍ、半径１００ｍｍの丸棒５本を間隔１１０ｍｍに並べて形成される。また、駆動ロール１４の駆動ロール本体１４ａの半径は４４ｍｍ、駆動ロール本体１４ａの間隔は１６０ｍｍ、長刃１４ｂと短刃１４ｃの長さはそれぞれ４５ｍｍ、２５ｍｍに設定される。また、枠状プレート１２の開口（噛み込み口）の大きさは、３００ｍｍ□とホッパー１１の下端の開口サイズより小さい。また、傾斜角度θ２は１０〜１５°に設定される。
【００２７】
３．本実施の形態の効果
（１）ホッパー１１内にアーム１５を揺動させる撹拌手段３を備えているため、カットポリマーがアーム１５によって攪拌される。このため、ホッパー１１内に投入されたカットポリマーがからまってダマになることを防止することができ、ホッパー１１の排出口１１ａにおけるカットポリマーのつまりを防止できる。そして、この攪拌手段はアーム１５を揺動させるだけの簡単な構造であるため、設備費の負担が大きくならない。
【００２８】
（２）ホッパー１１の排出口１１ａの直下に、一対の駆動ロール１４の長刃１４ｃと短刃１４ｄとが交互に噛み合いながら、カットポリマーを噛み込み、送り出す噛み込み送り出し手段４を備えているため、カットポリマーを噛み込ませながら、ホッパー１１の排出口１１ａをスムーズに通過させて、粉砕機２まで供給することができる。
【００２９】
（３）この結果、カットポリマーを粉砕機２に自動で定量供給することができ、作業者の負担を軽減することができる。
【００３０】
（４）制御手段は、駆動ロール１４を間欠的に回転駆動させるように制御するため、粉砕機２への単位時間当たりのカットポリマーの供給量を調整して粉砕機２への供給タイミングを自動設定化でき、粉砕機２にカットポリマーが過剰に供給されて粉砕機２がつまることを防止することができる。
【００３１】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００３２】
１        カットポリマー自動供給装置
２        粉砕機
３        攪拌手段
４        噛み込み送り出し手段
５        駆動手段
６        アーム支持体
１１      ホッパー
１１ａ    ホッパーの排出口
１２      枠状プレート
１３      ハウジング
１４      駆動ロール
１４ａ    駆動ロール本体
１４ｂ    噛み込み刃
１４ｃ    長刃
１４ｄ    短刃
１５      アーム
１５Ａ    攪拌体
１６      シリンダー
１７      ガイド部
５０      リール
５１      リール配置部
５２      支持体
５３      枠体
Ｐ        帯状カットポリマー
θ１      揺動角度
θ２      傾斜角度
【図１】
2013107251.tif 000003
【図２】
2013107251.tif 000004
【図３】
2013107251.tif 000005
【図４】
2013107251.tif 000006
【図５】
2013107251.tif 000007